(57)【要約】【課題】風向板による圧力損失を低減して省電力化を図ることのできる送風装置を提供する。【解決手段】本体筐体２に開口する吸込口４及び吹出口５と、本体筐体２内に配して吸込口４と吹出口５とを連通させる送風通路２０と、送風通路２０内に配される送風ファン７と、吹出口５に配される風向板２５とを備えた送風装置１において、送風通路２０が送風ファン２０の下流で仕切板２１により分割される複数の分割通路２２を有し、風向板２５が可撓性部材から成る可撓部２５ａを有するとともに仕切板２１の下流端から延びて先端を気流に交差する方向に移動させて風向を可変する。【選択図】図２
2013213454.tif 000002
【特許請求の範囲】
【請求項１】
本体筐体に開口する吸込口及び吹出口と、前記本体筐体内に配して前記吸込口と前記吹出口とを連通させる送風通路と、前記送風通路内に配される送風ファンと、前記吹出口に配される風向板とを備えた送風装置において、前記送風通路が前記送風ファンの下流で仕切板により分割される複数の分割通路を有し、前記風向板が可撓性部材から成る可撓部を有するとともに前記仕切板の下流端から延びて先端を気流に交差する方向に移動させて風向を可変することを特徴とする送風装置。
【請求項２】
前記送風ファンが遠心ファンから成ることを特徴とする請求項１に記載の送風装置。
【請求項３】
前記風向板の先端に硬質部材から成る硬質部を設けたことを特徴とする請求項１または請求項２に記載の送風装置。
【請求項４】
前記可撓部がポリエチレンにより形成され、前記硬質部がアクリルにより形成されることを特徴とする請求項３に記載の送風装置。
【請求項５】
前記送風ファンよりも下流側の前記送風通路に向けてイオンを放出するイオン発生装置を備えたことを特徴とする請求項１〜請求項４のいずれかに記載の送風装置。
【発明の詳細な説明】
【技術分野】
【０００１】
本発明は、吹出口に風向板を備えた送風装置に関する。
【背景技術】
【０００２】
従来の送風装置は特許文献１に開示されている。この送風装置は床面上に設置される本体筐体を備え、本体筐体に吸込口及び吹出口を開口する。本体筐体内には吸込口と吹出口とを連通させる送風通路が形成され、送風通路内には送風ファンが配される。吹出口には風向を可変する複数の風向板が設けられる。各風向板はリンクにより連結された板状部材により形成され、一体に回動して所定の向きに配される。
【０００３】
上記構成の送風装置において、送風ファンの駆動によって室内の空気が吸込口から送風通路内に流入する。送風通路を流通する空気は吹出口から風向板の向きに応じた方向に送出される。これにより、使用者に向けて送風を行うとともに、室内の空気を循環させることができる。
【先行技術文献】
【特許文献】
【０００４】
【特許文献１】特開平２−１８５６９６号公報（第２頁−第３頁、第２図）
【発明の概要】
【発明が解決しようとする課題】
【０００５】
しかしながら、上記従来の送風装置によると、風向板が板状部材により形成される。このため、吹出口近傍の空気の流通方向に対して風向板の傾斜角度が大きくなると送風通路を流通する空気の圧力損失が大きくなる。このため、送風装置の電力消費が大きくなる問題があった。
【０００６】
本発明は、風向板による圧力損失を低減して省電力化を図ることのできる送風装置を提供することを目的とする。
【課題を解決するための手段】
【０００７】
上記目的を達成するために本発明は、本体筐体に開口する吸込口及び吹出口と、前記本体筐体内に配して前記吸込口と前記吹出口とを連通させる送風通路と、前記送風通路内に配される送風ファンと、前記吹出口に配される風向板とを備えた送風装置において、前記送風通路が前記送風ファンの下流で仕切板により分割される複数の分割通路を有し、前記風向板が可撓性部材から成る可撓部を有するとともに前記仕切板の下流端から延びて先端を気流に交差する方向に移動させて風向を可変することを特徴としている。
【０００８】
この構成によると、送風ファンが駆動されると室内の空気が吸込口から送風通路に流入し、送風ファンの下流で仕切板により分割された複数の分割通路を流通する。分割通路を流通する気流は仕切板の下流端から延びる風向板の湾曲した可撓部に沿って流通し、吹出口から所定の方向に送出される。
【０００９】
また本発明は、上記構成の送風装置において、前記送風ファンが遠心ファンから成ることを特徴としている。この構成によると、遠心ファンの遠心力によって気流が送風通路の一方の壁面の方向に導かれる。この時、分割通路によって気流の偏りが防止され、吹出口から均一に気流が送出される。
【００１０】
また本発明は、上記構成の送風装置において、前記風向板の先端に硬質部材から成る硬質部を設けたことを特徴としている。この構成によると、吹出口から硬質部が露出し、使用者の手指が接触した際の風向板の破損を防止することができる。
【００１１】
また本発明は、上記構成の送風装置において、前記可撓部がポリエチレンにより形成され、前記硬質部がアクリルにより形成されることを特徴としている。
【００１２】
また本発明は、上記構成の送風装置において、前記送風ファンよりも下流側の前記送風通路に向けてイオンを放出するイオン発生装置を備えたことを特徴としている。この構成によると、イオン発生装置の駆動によって送風通路内にイオンが放出され、吹出口からイオンを含む気流が送出される。
【発明の効果】
【００１３】
本発明によると、分割通路の壁面を形成する仕切板の下流端から延びる風向板が可撓部を有するので、分割通路を流通する気流が湾曲した可撓部に沿って円滑に流通して吹出口から送出される。従って、風向板による圧力損失を低減して送風装置の省電力化を図ることができる。
【図面の簡単な説明】
【００１４】
【図１】本発明の実施形態の送風装置の斜視図
【図２】本発明の実施形態の送風装置の内部を示す側面図
【図３】本発明の実施形態の送風装置のイオン発生装置を示す斜視図
【図４】本発明の実施形態の送風装置の風向板を示す斜視図
【図５】本発明の実施形態の送風装置の風向板を示す側面図
【発明を実施するための形態】
【００１５】
以下に本発明の実施形態を図面を参照して説明する。図１は一実施形態の送風装置の斜視図を示している。図中、白抜き矢印は空気の流通方向を示している。送風装置１は柱状をなす本体筐体２と、本体筐体２の下方に配置された台座部３とを備えている。
【００１６】
本体筐体２は上下に縦長に延びる柱状に形成されている。本体筐体２は底面が円形を成し、上下方向略中央部から上端にかけての部分が略直方体形状で形成されている。上部の略直方体形状の部分は横幅より前後の長さのほうが長く、左右両側面が外側に膨らむように湾曲している。
【００１７】
本体筐体２の上部の両側面は外装カバー２ａにより覆われ、下部の一側面は吸込口４を開口する通気板９で覆われる。本体筐体２の上部正面には吹出口５が開口する。本体筐体２の上面には操作部６が設けられる。
【００１８】
台座部３は平面視円形を成し、上面に立設される本体筐体２を支持する。台座部３の周面には電源コード８が導出される。本体筐体２は下部に設けた不図示の変位モータを駆動すると、径方向中心に設けた上下方向に延びる回転軸線を中心に台座部３に対して水平面内で回転する。これにより、本体筐体２が所定の角度範囲で往復変位して首振り動作を行う。
【００１９】
図２は外装カバー２ａ及び通風板９を取り外した送風装置１の内部を示す側面図である。本体筐体２の内部には上下方向に延びて吸込口４と吹出口５とを連通させる送風通路２０が設けられる。送風通路２０の内部であって本体筐体２の下部には送風ファン７が配置されている。
【００２０】
送風ファン７はシロッコファン等の遠心ファンにより構成され、吸気口（不図示）が吸込口４に面して配される。送風ファン７の排気口７ａは上方に向けて開口する。送風ファン７の駆動によって吸込口４から吸い込まれた空気が吹出口５に向かって流通する。送風ファン７をターボファンにより構成してもよい。
【００２１】
送風通路２０は送風ファン７の下流で上方に向かって延びるとともに前方の吹出口５に向かって湾曲し、仕切板２１により分割された複数の分割通路２２を有している。本実施形態では５枚の仕切板２１により６本の分割通路２２が設けられる。各分割通路２２は入口部２３において送風装置１の前後方向に一列に並び、出口部２４において上下方向に一列に並ぶ。仕切板２１は分割通路２２の上下の壁面を形成し、吹出口５には仕切板２１及び送風通路２０の下壁２６を延長するように６枚の風向板２５が配される。
【００２２】
送風ファン７と分割通路２２との間にはイオンを発生するイオン発生装置３０が配置されている。イオン発生装置３０が送風ファン７の下流に配置されるため、送風ファン７との衝突によるイオンの消滅を防止することができる。
【００２３】
図３はイオン発生装置３０の外観斜視図を示している。イオン発生装置３０はハウジング３１内に放電電極やその他電子部品を配してパッケージ化されている。イオン発生装置３０は回路部（不図示）、正イオン発生部３２Ｐ及び負イオン発生部３２Ｎを備えている。回路部は外部から電力供給を受けて高圧の電気パルスを生成する高圧電気発生回路を備えている。
【００２４】
正イオン発生部３２Ｐは正放電電極３３Ｐを備え、負イオン発生部３２Ｎは負放電電極３３Ｎを備えている。二対の正放電電極３３Ｐ及び負放電電極３３Ｎは各々針状に形成されて所定の間隔で並べて配置され、開口部を介して送風通路２０に臨んでいる。
【００２５】
正イオン発生部３２Ｐ及び負イオン発生部３２Ｎはともに同じ構造に形成される。各々の正放電電極３３Ｐ、負放電電極３３Ｎに高圧電気発生回路で生成された高電圧が供給されて放電を発生させ、イオンを放出する。
【００２６】
正放電電極３３Ｐ、負放電電極３３Ｎには交流波形またはインパルス波形から成る電圧が印加される。正放電電極３３Ｐには正電圧が印加され、コロナ放電による水素イオンが空気中の水分と結合して主としてＨ+（Ｈ2Ｏ）ｍから成る正イオンを発生する。
【００２７】
負放電電極３３Ｎには負電圧が印加され、コロナ放電による酸素イオンが空気中の水分と結合して主としてＯ2-（Ｈ2Ｏ）ｎから成る負イオンを発生する。ここで、ｍ、ｎは任意の自然数である。Ｈ+（Ｈ2Ｏ）ｍ及びＯ2-（Ｈ2Ｏ）ｎは空気中の浮遊菌や臭い成分の表面で凝集してこれらを取り囲む。
【００２８】
そして、式（１）〜（３）に示すように、衝突により活性種である［・ＯＨ］（水酸基ラジカル）やＨ2Ｏ2（過酸化水素）を微生物等の表面上で凝集生成して浮遊菌や臭い成分を破壊する。ここで、ｍ’、ｎ’は任意の自然数である。従って、イオン発生装置３０は送風通路２０内に正イオン及び負イオンを放出し、吹出口５から正イオン及び負イオンが送出される。これにより、例えば室内の殺菌や脱臭を行うことができる。
【００２９】
Ｈ+(Ｈ2Ｏ)ｍ＋Ｏ2-(Ｈ2Ｏ)ｎ→・ＯＨ＋1/2Ｏ2＋(ｍ＋ｎ)Ｈ2Ｏ  ・・・（１）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ 2・ＯＨ＋Ｏ2＋(ｍ＋ｍ'＋ｎ＋ｎ')Ｈ2Ｏ ・・・（２）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ Ｈ2Ｏ2＋Ｏ2＋(ｍ＋ｍ'＋ｎ＋ｎ')Ｈ2Ｏ ・・・（３）
【００３０】
尚、本実施形態ではイオン発生装置３０によって正イオン及び負イオンを発生しているが、正イオンのみまたは負イオンのみを発生してもよい。
【００３１】
また、イオン発生装置３０が帯電微粒子水から成るイオンを発生する静電霧化装置であってもよい。静電霧化装置によってラジカル成分を含む帯電微粒子水が生成される。すなわち、静電霧化装置に設けた放電電極をペルチェ素子により冷却することで放電電極の表面に結露水が生じる。次に、放電電極にマイナスの高電圧を印加すると、結露水から帯電微粒子水が生成される。また、放電電極からは帯電微粒子水とともに空気中に放出される負イオンも発生する。
【００３２】
図４、図５は風向板２５の斜視図及び側面図を示している。風向板２５は上流側に配される可撓部２５ａと、下流側に配される硬質部２５ｃとを有している。可撓部２５ａは可撓性を有する可撓性部材により形成され、例えばポリエチレン等の軟質樹脂が用いられる。硬質部２５ｃは硬質部材により形成され、例えばＡＢＳやアクリル等の硬質な樹脂が用いられる。可撓部２５ａと硬質部２５ｃとは例えば二色成形によって一体に形成される。
【００３３】
硬質部２５ａは風向板２５の先端に配されて吹出口５から露出する。これにより、吹出口５に使用者の手指が侵入した際に手指が硬質の硬質部２５ｃに接触する。このため、強度の低い軟質の可撓部２５ａに手指が接触することによる風向板２５の破損を防止することができる。
【００３４】
可撓部２５ａの一端の両側面には本体筐体２に軸支される軸部２５ｂが設けられる。軸部２５ｂは仕切板２１（図２参照）及び下壁２６（図２参照）の下流端に隣接して配される。これにより、風向板２５が仕切板２１及び下壁２６の下流端から延びて配置される。
【００３５】
硬質部２５ｃの両側面には送風通路２０の側壁に設けたガイド溝２７に嵌合する係合子２５ｄが突設される。複数の風向板２５の各係合子２５ｄはリンク部材（不図示）により連結され、リンク部材は風向可変モータ（不図示）に連結される。風向可変モータによって各係合子２５ｄが一体にガイド溝２７内を変位する。
【００３６】
これにより、風向板２５の先端を気流に交差する方向に移動させて所望の向きに配置し、吹出口５（図２参照）から送出される空気の風向が可変される。この時、可撓部２５ａが湾曲して風向板２５が屈曲されるため、分割通路２２を流通する空気が可撓部２５ａに沿って円滑に流通する。従って、風向板２５による圧力損失を低減することができる。尚、風向可変モータ（不図示）を継続して駆動し、風向板２５を揺動させることもできる。
【００３７】
上記構成の送風装置１において、操作部６の操作により送風ファン７及びイオン発生装置３０が駆動される。これにより、室内の空気が本体筐体２の下部の吸込口４から送風通路２０内に流入する。送風通路２０内に流入した空気にはイオン発生装置３０で発生したイオンが含まれる。
【００３８】
イオンを含む気流は複数の分割通路２２に分割されて流通する。遠心ファンから成る送風ファン７の遠心力によって気流は送風通路２０の外周方向に導かれる。この時、送風通路２０の入口部２３から各分割通路２２に気流が均一に分散し、気流の偏りが防止される。そして、各分割通路２２を流通する気流が吹出口５から風向板２５に応じた方向に均一に送出される。これにより、イオンを含む気流が室内に拡散して室内の殺菌等を行うことができる。
【００３９】
また、イオン発生装置３０を停止して送風ファン７を駆動すると、使用者に向けて送風を行うとともに室内の空気を循環させることができる。
【００４０】
本実施形態によると、分割通路２２の壁面を形成する仕切板２１の下流端から延びる風向板２５が可撓部２５ａを有するので、分割通路２２を流通する気流が湾曲した可撓部２５ａに沿って円滑に流通して吹出口５から送出される。従って、風向板２５による圧力損失を低減して送風装置１の省電力化を図ることができる。
【００４１】
また、送風ファン７が遠心ファンから成るので、遠心ファンの遠心力によって気流が送風通路２０の上壁の方向に導かれる。この時、分割通路２２によって気流の偏りが防止され、吹出口５から均一に気流を送出することができる。尚、送風ファン７をプロペラファンやクロスフローファンにより形成してもよい。この場合も同様に分割通路２２によって気流の偏りが防止され、吹出口５から均一に気流を送出することができる。
【００４２】
また、風向板２５の先端に硬質部材から成る硬質部２５ｃを設けたので、吹出口５から硬質部２５ａが露出し、使用者の手指が接触した際の風向板２５の破損を防止することができる。
【００４３】
また、可撓部２５ａがポリエチレンにより形成され、硬質部２５ｃがアクリルにより形成されるので、圧力損失を低減して破損を防止できる風向板２５を容易に実現することができる。尚、可撓部２５ａは柔軟性を有する材料であれば他の材料を用いてもよい。例えば、他の軟質樹脂（軟質塩化ビニルやポリプロピレン等）、ゴム、布等を用いることができる。
【００４４】
また、送風ファン７よりも下流側の送風通路２０に向けてイオンを放出するイオン発生装置３０を備えたので、吹出口５からイオンを送出して室内の殺菌等を行うことができる。この時、分割通路２２によって吹出口５から均一にイオンを送出することができるとともに、風向板２５の可撓部２５ａによって圧力損失を低減することができる。
【産業上の利用可能性】
【００４５】
本発明によると、吹出口に風向板を備えた送風装置に利用することができる。
【符号の説明】
【００４６】
１    送風装置
２    本体筐体
３    台座部
４    吸込口
５    吹出口
６    操作部
７    送風ファン
２０    送風通路
２１    仕切板
２２    分割通路
２５    風向板
２５ａ  可撓部
２５ｃ  硬質部
２７    ガイド溝
３０    イオン発生装置
【図１】
2013213454.tif 000003
【図２】
2013213454.tif 000004
【図３】
2013213454.tif 000005
【図４】
2013213454.tif 000006
【図５】
2013213454.tif 000007